(57)【要約】      （修正有）【課題】防犯用監視カメラの本来の機能を発揮することができ、かつ、カーブミラーを見ようとする歩行者や運転者等の邪魔になることがないカーブミラー取付け式防犯用監視カメラシステム及び該システムを備えたカーブミラーを提供する。【解決手段】カーブミラー取付け式防犯用監視カメラシステムは、カーブミラーの支柱２に取り付け可能に構成された太陽光発電装置３と、カーブミラーの支柱２に取り付け可能に構成され、太陽光発電装置３によって充電されるバッテリ装置５と、バッテリ装置５によって駆動可能に構成され、かつ、カーブミラーの支柱２に取り付け可能に構成された防犯用監視カメラ４とを備え、少なくとも防犯用監視カメラ４の外表面がカーブミラーの支柱２の外表面と同色であることを特徴とする。【選択図】図１
0003219381.tif 000002
【実用新案登録請求の範囲】
【請求項１】
カーブミラーの支柱（２）に取り付け可能に構成された太陽光発電装置（３）と、
カーブミラーの支柱（２）に取り付け可能に構成され、前記太陽光発電装置（３）によって充電されるバッテリ装置（５）と、
前記バッテリ装置（５）によって駆動可能に構成され、かつ、カーブミラーの支柱（２）に取り付け可能に構成された防犯用監視カメラ（４）と
を備え、
少なくとも前記防犯用監視カメラ（４）の外表面がカーブミラーの支柱（２）の外表面と同色である
ことを特徴とするカーブミラー取付け式防犯用監視カメラシステム。
【請求項２】
前記太陽光発電装置（３）及び前記バッテリ装置（５）の少なくとも一方の外表面がカーブミラーの支柱（２）の外表面と同色である
ことを特徴とする請求項１に記載の監視カメラシステム。
【請求項３】
防犯用監視カメラ（４）が、カメラ（２１）を収容するハウジング（２０）と、該ハウジング（２０）を、前記支柱（２）に上下方向及び回転方向に移動可能に取付け可能なブラケット（２５）とを備えている
ことを特徴とする請求項１又は２に記載の監視カメラシステム。
【請求項４】
前記ハウジング（２０）及び前記ブラケット（２５）の外表面が支柱（２）と同色である
ことを特徴とする請求項３に記載の監視カメラシステム。
【請求項５】
前記太陽光発電装置（３）が、少なくとも一つの太陽電池を備えた太陽電池パネル（６）を備え、
前記太陽電池パネル（６）に、太陽電池パネル（６）によって反射した光が、カーブミラー（１）を見る運転者又は歩行者に直接照射されないように、反射光を遮る反射防止板（８）を設けた
ことを特徴とする請求項１〜４の何れか一項に記載の監視カメラシステム。
【請求項６】
前記太陽光発電装置（３）が、前記太陽電池パネル（６）を、前記支柱（２）に回転可能に支持するブラケット（７）を備えている
ことを特徴とする請求項５に記載の監視カメラシステム。
【請求項７】
前記太陽電池パネル（６）のフレーム、前記反射防止位置（８）の外表面及び前記ブラケット（７）の外表面が、支柱（２）と同色である
ことを特徴とする請求項６に記載の監視カメラシステム。
【請求項８】
防犯用監視カメラ（４）が、カメラ（２１）、メモリ（２２）及び制御装置（２３）を備え、
前記制御装置（２３）が、メモリ（２２）の空容量が所定値以下になると、古い録画データを消去して、新しい撮影画像を保存するようにメモリ（２２）における保存動作を制御することにより、カメラ（２１）による連続撮影及び保存を可能にするように構成されている
ことを特徴とする請求項１〜７の何れか一項に記載の監視カメラシステム。
【請求項９】
前記制御装置（２３）が、バッテリ装置（５）から供給されるバッテリ電圧を監視し、前記バッテリ電圧が所定値以下になった時にカメラ（２１）による撮影を停止し、前記バッテリ電圧が所定値以上になった時にカメラ（２１）による撮影を再開すると共に、バッテリ電圧低下が原因でカメラ（２１）による撮影を停止していた時間を記録するように構成されている
ことを特徴とする請求項８に記載の監視カメラシステム。
【請求項１０】
ミラー本体（１）及びミラー本体（１）を取り付ける支柱（２）から成り、
前記支柱（２）に請求項１〜９の何れか一項に記載のカーブミラー取付け式防犯用監視カメラシステムが取り付けられていることを特徴とするカーブミラー
【考案の詳細な説明】
【技術分野】
【０００１】
本考案は、カーブミラーに取付け可能な防犯用監視カメラシステム及び該システムを備えたカーブミラーに関する。
【背景技術】
【０００２】
近年、屋外における犯罪等の増加に伴い、屋内だけでなく屋外にも防犯用監視カメラを設置することが増えてきている。
しかし、屋外で防犯用監視カメラを設置する場合、監視カメラを取り付けるための支柱の設置工事及び電源工事を行う必要があるため、容易に設置することができないという問題がある。
防犯用監視カメラを屋外に容易に設置する方法として、既存のカーブミラーの支柱に防犯用監視カメラを取り付けることが特許文献１の実施例において言及されている。
この考案は、カーブミラーの付近を通過する歩行者や車両の運転者等がカーブミラーそのものの存在に気付かずに事故が発生することを防止するために、その存在が歩行者や運転者等に気付かれ易くするように、カーブミラーに発光体、夜間照明装置及びボイス発生器に加えて、監視カメラや緊急防犯記録装置等を設けることを特徴とするものである。
【先行技術文献】
【特許文献】
【０００３】
【特許文献１】登録実用新案第３１６５８８７号公報
【考案の概要】
【考案が解決しようとする課題】
【０００４】
上記した考案によれば、カーブミラーの存在が歩行者や運転者等に気付かれやすくなるために、歩行者や運転者等がカーブミラーを見落とす機会が減り、事故等を防止することができるという効果を奏する。
しかし、この従来の考案は、そもそもカーブミラーを気付かれやすくすることを目的としている点で、防犯用監視カメラの設置に関しては問題が残っている。
特許文献１の図１に示されているように、この考案の目的は、カーブミラーを気付かれ易くすることを目的としているため、カーブミラーが目立つように様々な構成要素が全てカーブミラーの正面から目視できるように配置されている。構成要素の一つである監視カメラの具体的配置位置についての言及はないが、考案の目的及び効果から考えて、他の構成要素と同様にカーブミラーの正面から目視できる位置に配置することが想定できる。
しかし、防犯用監視カメラは、本来、事故を防止するために取り付けられるものではなく、事故や犯罪を記録するために取り付けられるものであり、その存在があまりに目立ってしまうと、カメラの死角を探して、そこで犯罪が行われる可能性もある。また、そもそも監視カメラがカーブミラーの正面から目視できる状態であると、走行中にカーブミラーを見た運転者の注意がカーブミラーではなく、監視カメラにいってしまい、肝心なカーブミラーを見落としてしまう可能性があり、事故を防止するどころか、事故を増加させてしまう可能性もある。これは歩行者についても同様であり、カーブミラーに取り付けられた監視カメラが目立ってしまうと、歩行者の注意がカーブミラーではなく監視カメラにいき、その結果、歩行者がよそ見をして車両等に対する注意の妨げになる可能性がある。
本考案の考案者は、上記した従来の問題点に着目し、防犯用監視カメラの本来の機能を発揮することができ、かつ、カーブミラーを見ようとする歩行者や運転者等の邪魔になることがないカーブミラー取付け式防犯用監視カメラシステム及び該システムを備えたカーブミラーを提供することを目的としている。
【課題を解決するための手段】
【０００５】
上記した目的を達成するために、本考案に係るカーブミラー取付け式防犯用監視カメラシステムは、カーブミラーの支柱に取り付け可能に構成された太陽光発電装置と、カーブミラーの支柱に取り付け可能に構成され、前記太陽光発電装置によって充電されるバッテリ装置と、前記バッテリ装置によって駆動可能に構成され、かつ、カーブミラーの支柱に取り付け可能に構成された防犯用監視カメラとを備え、少なくとも前記防犯用監視カメラの外表面がカーブミラーの支柱の外表面と同色であることを特徴とする。
好ましくは、前記太陽光発電装置及び前記バッテリ装置の少なくとも一方の外表面もカーブミラーの支柱の外表面と同色であり得る。
防犯用監視カメラは、カメラを収容するハウジングと、該ハウジングを、前記支柱に上下方向及び回転方向に移動可能に取付け可能なブラケットとを有し得る。この場合、前記ハウジング及び前記ブラケットの外表面は支柱と同色であり得る。
前記太陽光発電装置は、少なくとも一つの太陽電池を備えた太陽電池パネルを有し得、  前記太陽電池パネルには、太陽電池パネルによって反射した光が、カーブミラーを見る運転者又は歩行者に直接照射されないように、反射光を遮る反射防止板が設けられ得る。
前記太陽光発電装置は、前記太陽電池パネルを、前記支柱に回転可能に支持するブラケットを有し得る。
この場合、前記太陽電池パネルのフレーム、前記反射防止位置の外表面及び前記ブラケットの外表面は、支柱と同色であり得る。
防犯用監視カメラは、カメラ、メモリ及び制御装置を備え、前記制御装置が、メモリの空容量が所定値以下になると、古い録画データを消去して、新しい撮影画像を保存するようにメモリにおける保存動作を制御することにより、防犯用監視カメラによる連続録画を可能にするように構成され得る。
前記制御装置は、バッテリ装置から供給されるバッテリ電圧を監視し、前記バッテリ電圧が所定値以下になった時にカメラによる撮影を停止し、前記バッテリ電圧が所定値以上になった時にカメラによる撮影を再開すると共に、バッテリ電圧低下が原因でカメラを停止していた時間を記録するように構成され得る。
また、本考案に係るカーブミラーは、ミラー本体とミラー本体を取り付ける支柱から成り、上述したカーブミラー取付け式防犯用監視カメラシステムを備えていることを特徴とする。
【考案の効果】
【０００６】
本考案に係るカーブミラー取付け式防犯用監視カメラシステムは、カーブミラーの支柱に取り付け可能に構成された太陽光発電装置と、カーブミラーの支柱に取り付け可能に構成され、前記太陽光発電装置によって充電されるバッテリ装置と、前記バッテリ装置によって駆動可能に構成され、かつ、カーブミラーの支柱に取り付け可能に構成された防犯用監視カメラとを備え、少なくとも前記防犯用監視カメラの外表面をカーブミラーの支柱の外表面と同色になるように構成しているので、防犯用監視カメラがカーブミラー全体と同化して目立たなくなり、カーブミラーを見ようとした運転者や歩行者の関心が防犯用監視カメラにいき、注意力を低下させる等の問題を生じさせることがない。このようにカーブミラー本来の機能の邪魔をすることなくカーブミラーの支柱に取り付けることができるように構成することにより、支柱の埋設等の工事を必要とせずに防犯用監視カメラシステムを設置することが可能になる。また、防犯用監視カメラを、太陽光発電装置によって充電されるバッテリ装置で駆動するように構成することにより、電源線の引き込みが不要になり設置がより簡単になる。さらに、支柱の埋設工事や電源線の引き込み工事が不要であるため、設置だけでなく撤去も容易にすることができる。
前記太陽光発電装置及び前記バッテリ装置の少なくとも一方の外表面をカーブミラーの支柱の外表面と同色にすることにより、運転者や歩行者の注意力の低下防止効果をさらに高めることができる。
防犯用監視カメラに、カメラを収容するハウジングと、該ハウジングを、前記支柱に上下方向及び回転方向に移動可能に取付け可能なブラケットとを設けることにより、防犯用監視カメラの位置合わせが容易になる。防犯用監視カメラは、撮影領域の設定が間違っていると全く役に立たない風景を録画してしまうことになるので、設置時のカメラ位置の調整は非常に重要であるため、防犯用監視カメラを支柱の上下方向及び支柱の軸線方向を中心とした回転方向に移動可能に取り付けられるようにすることは設置に関して大きな利点である。
尚、この場合、前記ハウジング及び前記ブラケットの外表面と支柱を同色にすることで防犯用監視カメラ全体がカーブミラー全体と同化する。
前記太陽光発電装置に、少なくとも一つの太陽電池を備えた太陽電池パネルを設け、前記太陽電池パネルに、太陽電池パネルによって反射した光が、カーブミラーを見る運転者又は歩行者に直接照射されないように、反射光を遮る反射防止板を設けることにより、太陽電池パネルからの反射光が運転者や歩行者の視界を妨げることを防止することが可能になる。
前記太陽光発電装置に、前記太陽電池パネルを、前記支柱に回転可能に支持するブラケットを設けることで、太陽電池パネルの設置が容易になる。太陽電池パネルの位置合わせは、効率のよい発電には不可欠であり、最適な位置は設置する場所によって全く異なる。このため、太陽電池パネルを支柱に対して回転可能に構成することは設置に関して大きな利点である。
この場合、前記太陽電池パネルのフレーム、前記反射防止位置の外表面及び前記ブラケットの外表面を、支柱と同色にすることで、太陽光発電装置全体がカーブミラー全体と同化する。
防犯用監視カメラに、カメラ、メモリ及び制御装置を設け、前記制御装置を、メモリの空容量が所定値以下になると、古い録画データを消去して、新しい撮影画像を保存するようにメモリにおける保存動作を制御することにより、カメラによる連続録画を可能にするように構成することにより、定期的なメンテナスの必要なく、連続録画を行うことが可能になる。
前記制御装置を、バッテリ装置から供給されるバッテリ電圧を監視し、前記バッテリ電圧が所定値以下になった時にカメラによる撮影を停止し、前記バッテリ電圧が所定値以上になった時にカメラによる撮影を再開すると共に、バッテリ電圧低下が原因でカメラを停止していた時間を記録するように構成することにより、天候の問題でバッテリが十分に充電されずに撮影ができない状況に陥ってしまった場合であっても、撮影できていない時間帯を正確に把握することが可能になる。撮影できていない時間帯が不明であると、録画され画像全体の信憑性が疑われることになるため、撮影できていない時間帯が明確になることは防犯用監視カメラにとっては大きな利点となる。
また、本考案に係るカーブミラーは、ミラー本体及びミラー本体を取り付ける支柱から成り、前記支柱にカーブミラー取付け式防犯用監視カメラシステムが取り付けられているので、上述したシステムに関する効果と同様の効果を奏する。
【図面の簡単な説明】
【０００７】
【図１】本考案に係るカーブミラー取付け式防犯用監視カメラシステムが取り付けられたカーブミラーを示す概略図である。
【図２】本考案に係るカーブミラー取付け式防犯用監視カメラシステムにおける太陽電池パネル及び防犯用監視カメラをカーブミラー用支柱に取り付ける状態を示す展開図である。
【図３】ブラケット７の本体部分７ａの概略横断面図である。
【図４】ブラケット２５の筒状本体２５ａの概略横断面図である。
【図５】本考案に係るカーブミラー取付け式防犯用監視カメラシステムの概略ブロック図である。
【考案を実施するための形態】
【０００８】
以下、添付図面に示した一実施例を参照して、本考案に係るカーブミラー取付け式防犯用監視カメラシステム（以下、「監視カメラシステム」と称する。）の実施の形態を説明していく。
図１及び図２に示されたカーブミラーは、ミラー本体１及びミラー本体１を取り付けるための支柱２を備えている。図面に示すように、ミラー本体１の外周面及び支柱２の外表面は同色である。本考案に係る監視カメラシステムは、太陽光発電装置３、防犯用監視カメラ４及びバッテリ装置５から成り、これらの全ての構成要素３，４及び５は、カーブミラーの支柱２に取り付けられている。
太陽光発電装置３は、複数の太陽電池を備えた太陽電池パネル６と、該太陽電池パネル６を支柱２に取り付けるブラケット７とを備えている。ブラケット７は、図１及び図２に示すように支柱２に上方から挿入できるように上端が閉鎖された筒状に形成された本体部分７ａと、太陽電池パネル６を発電効率を考慮した適切な角度で支持するアーム部７ｂとを備えている。筒状本体部分７の内径は、装着すべき支柱２の外径に合わせて形成されており、支柱２に装着して、太陽電池パネル６の向きを合わせた後に、ボルト７ｃによって支柱２に固定されるように構成されている（図３参照）。
太陽光発電装置３は、その太陽電池パネル６に反射防止板８が設けられている。この反射防止板８は、太陽電池パネル６で反射された光が、カーブミラー１を見る運転者は歩行者に直接照射されないように、設置場所に応じて適切な位置、大きさ及び角度で設けられる。
【０００９】
バッテリ装置５は、施錠可能なドア１０ａを有する箱型ケース１０と、該ケース１０内に収容された充電装置１１及び少なくとも一つのバッテリ１２から成り、箱型ケース１０は支柱２に固定可能な適当なブラケット（図示せず）を有する。
前記バッテリ１２は、充電装置１１を介して支柱２に沿って配置された不図示の配線を介して太陽電池パネル６と接続されている。
充電装置１１は、太陽電池パネル６から供給される電力を所定の電圧に変換してバッテリ１２に供給するように構成されている。
【００１０】
防犯用監視カメラ４は、ハウジング２０を有し、該ハウジング２０の内部に、前記バッテリ１２に接続された電源装置２１、カメラ２２、カメラ２２による撮影画像を保存するメモリ２３、及びカメラ２２による撮影及びメモリ２３への保存等の動作制御を行う制御装置２４を備えている。
前記ハウジング２０は、屋外に設置することができる耐久性を有する材料から成り、好ましくは、ハウジング２０の内部には公知の温度制御装置（図示せず）が設けられ得る。
また、この防犯用監視カメラ４は、ハウジング２０を支柱２に固定するためのブラケット２５を備えている。ブラケット２５は、支柱２に挿入可能な内径を有する筒状本体２５ａと、該筒状本体２５ａとハウジング２０とを連結するアーム２５ｂとを備えている。
ここで、防犯用監視カメラ４の動作について簡単に説明すると、この防犯用監視カメラ４はバッテリ装置５のバッテリ１２から供給される電力によって動作し、そのカメラ２２が周囲を連続撮影し、撮影した画像が適当なコマ数（例えば、１秒４コマ）でメモリ２３に保存されるように制御装置２４によって制御される。また、制御装置２４は、メモリ２３の空き容量が所定値以下になると、古い録画データを消去して、新しい撮影画像を保存する。これにより、メモリ２３の記憶容量の制限を受けずに連続的にカメラによる撮影及びメモリへの保存をすることが可能になる。制御装置２４は、バッテリ装置５からの供給電圧が所定の値より低くなると、バッテリ装置５の電圧が所定の値より高くなるまでカメラ２２による撮影を停止すると共に、バッテリ電圧低下に伴い撮影を停止した時間をメモリ２１に記録する。制御装置２４は、バッテリ電圧が所定の電圧より高くなると、カメラ２２を再び動作させて、撮影及び撮影画像の保存を再開すると共に、バッテリ電圧低下が原因となって撮影が停止されていた時間帯をメモリ２１に記録する。これにより、後で録画データを確認する際に、撮影がされていなかった時間が明確になる。メモリ２３は、ハウジング２０から取り出し可能に構成され得、メモリ２３をハウジング２０から取り出して、該メモリ２３内に保存された録画データを取り出すことができるように構成され得る。また、この防犯用監視カメラ４は、ＷＩＦＩ等の近距離無線送受信手段２６を有することができ、メモリ２３をハウジング２０から取り出すことなく、保存データを取り出すことができるように構成され得る。
上記したように構成された防犯用監視カメラ４は、筒状本体２５ａを支柱２に挿入した後、筒状本体２５ａを上下及び回転させて位置合わせをした後に、ボルト２５ｃを用いて支柱２に固定される。
【００１１】
上記したように構成された監視カメラシステムは、少なくとも、その防犯用監視カメラ４のハウジング２０及びブラケット２５の外表面が、カーブミラーのミラー本体１及び支柱２の外表面と同色に着色されている。これにより、防犯用監視カメラ４がカーブミラー全体と同化して目立たなくなり、運転者や歩行者がカーブミラーを見る時に、防犯用監視カメラ４に気がとられることがなくなり、運転者及び歩行者の注意力を低下させることがなくなる。
また、好ましくは、図１に示すように、太陽光発電装置３における太陽電池パネル６のフレーム、ブラケット７及び反射防止板８、並びにバッテリ装置５における箱型ケース１０の外面も、防犯用監視カメラ４と同様にカーブミラーのミラー本体１及び支柱２と同色に着色され得る。これにより、監視カメラシステム全体がカーブミラー全体と同化して目立たなくなり、運転者や歩行者の注意力低下を、さらに防止することが可能になる。
【００１２】
上記したように、本実施例に係る監視カメラシステムによれば、その外表面をカーブミラーのミラー本体１及び支柱２と同色にしているため、監視カメラシステム全体がカーブミラーと同化して目立たなくなり運転者や歩行者の注意力低下を防止することができるという効果を奏する。
また、本実施例に係る監視カメラシステムによれば、その太陽光発電装置３の太陽電池パネル６を筒状の本体部分７ａを有するブラケット７を介して支柱２に固定するように構成しているので、ボルト７ｃを緩めるだけで簡単に太陽電池パネル６を回転させることが可能になり、太陽電池パネル６の設置及びメンテナンスを容易に行うことができる。
さらに、本実施例に係る監視カメラシステムによれば、その防犯用監視カメラ４を筒状本体２５ａを有するブラケット２５を介して支柱２に固定しているため、ボルト２５ｃを緩めるだけで、防犯用監視カメラ４を簡単に上下方向及び回転方向に動かすことが可能になり、防犯用監視カメラ４の設置及びメンテナンスを容易に行うことができる。
さらにまた、本実施例に係る監視カメラシステムによれば、太陽光発電装置３で発電した電力をバッテリ装置５で充電し、該バッテリ装置５の電力を用いて防犯用監視カメラ４で録画及び保存をすることができるので、電源工事を行う必要がなく、どこにでも簡単に設置を行うことが可能であるという効果を奏する。
【００１３】
上記した実施例においては、防犯用監視カメラ４のブラケット２５が筒状本体２５ａを備えているが、ブラケット２５の構成は本実施例に限定されることなく、防犯用監視カメラ４を、支柱２に対して上下方向及び回転方向に調整可能に固定することができる構成であれば任意の構成及び形状でよく、例えば、一対の筒状半体を支柱２を挟んでボルト等で固定するように構成されていてもよい。
また、上記した実施例では、防犯用監視カメラ４がカーブミラーにおけるミラー本体１の上方に位置決めされているが、防犯用監視カメラ４を配置する位置は本実施例に限定されることなく、例えば、ミラー本体１の裏側に配置してもよく、ミラー本体１の下方に配置してもよい。
【符号の説明】
【００１４】
１  ミラー本体
２  支柱
３  太陽光発電装置
４  防犯用監視カメラ
５    バッテリ装置
６  太陽電池パネル
７  ブラケット
７ａ  本体部分
７ｂ  アーム部
７ｃ  ボルト
８  反射防止板
１０  箱型ケース
１１  充電装置
１２  バッテリ
２０  ハウジング
２１  電源装置
２２  カメラ
２３  メモリ
２４  制御装置
２５  ブラケット
２５ａ  筒状本体
２５ｂ  アーム
２５ｃ  ボルト  
２６  近距離無線送受信手段
【図１】
0003219381.tif 000003
【図２】
0003219381.tif 000004
【図３】
0003219381.tif 000005
【図４】
0003219381.tif 000006
【図５】
0003219381.tif 000007